(57)【要約】【課題】本発明は、外部通信器の機能選択ボタンを不要として外部通信器の意匠性を向上させることができるともに、機能選択時の利便性と携帯性とを向上させることができる非接触式ＩＣカードを提供する。【解決手段】第１〜第３タッチボタン４Ａ〜４Ｃは、利用者によって操作され、利用者による操作に伴って静電容量が変化する。内部回路３は、外部通信器と通信するためのアンテナ部５、タッチボタン検出部６及びＩＣを有している。ＩＣは、第１〜第３データブロック７Ａ〜７Ｃを構成している。第１〜第３データブロック７Ａ〜７Ｃは、それぞれ異なるデータを格納している。第１〜第３タッチボタン４Ａ〜４Ｃのうち、利用者によって操作されたタッチボタンに対応する第１〜第３データブロック７Ａ〜７Ｃに格納されたデータが外部通信器へ送られる。【選択図】図２
2010039527.tif 000002
【特許請求の範囲】
【請求項１】
複数種の入退室管理機能を有する入退室管理システムに対して、所望の入退室管理機能を選択して利用する際に用いられる非接触式ＩＣカードであって、
ＩＣカード本体、
前記複数種の入退室管理機能のそれぞれを利用するためのデータを格納する複数のデータ格納部と、外部通信器との間で無線通信するためのアンテナ部とを有し、前記ＩＣカード本体の内部に設けられた内部回路、及び
前記ＩＣカード本体の表面に設けられ、かつ前記内部回路に電気的に接続され、利用者による操作に応じて、前記外部通信器と通信するデータを、前記複数のデータ格納部に格納されたデータから選択可能な機能選択手段
を備えることを特徴とする非接触式ＩＣカード。
【請求項２】
前記機能選択手段は、前記複数のデータ格納部にそれぞれ対応する複数のタッチボタンである
ことを特徴とする請求項１記載の非接触式ＩＣカード。
【発明の詳細な説明】
【技術分野】
【０００１】
この発明は、格納しているデータを無線通信によって外部通信器へ送信する非接触式ＩＣカードに関する。
【背景技術】
【０００２】
図４は、従来の非接触無線通信を用いた入退室管理システムの概要を示す構成図である。図４において、ＩＣカード１００は、例えば金属板等であるＩＣ（Ｉｎｔｅｇｒａｔｅｄ  Ｃｉｒｃｕｉｔ）カード本体１０１と、ＩＣカード本体１０１の内部に設けられた内部回路１０２とによって構成されている。内部回路１０２は、外部通信器としてのＩＣカードリーダ２００と無線通信するためのアンテナ部と、データ格納部を構成するＩＣとを有している（ともに図示せず）。
【０００３】
ＩＣカードリーダ２００は、例えば建物の入り口や管理区画の境界部に設けられている。また、ＩＣカードリーダ２００は、無線通信電波Ｘを外部に発しており、ＩＣカード１００と無線通信可能になっている。さらに、ＩＣカードリーダ２００の表面には、第１〜第３機能選択ボタン２０１Ａ〜２０１Ｃが設けられている。
【０００４】
第１〜第３機能選択ボタン２０１Ａ〜２０１Ｃは、利用者によって操作される。ＩＣカードリーダ２００に接続された入退室管理装置（図示せず）の入退室管理機能は、利用者によって操作された機能選択ボタン２０１Ａ，２０１Ｂ，２０１Ｃの種類に応じて切り換わる。これらの機能は、例えば、警備モード始動、警備モード終了及び非常警報鳴動等である。また、ＩＣカードリーダ２００の他の機能の例としては、電気錠によってそれぞれ施錠された複数のドアのうち、第１〜第３機能選択ボタン２０１Ａ〜２０１Ｃに対応するドアを、解錠対象として選択する機能等である。
【０００５】
また、本発明の非接触式ＩＣカードに関連する文献公知技術として、例えば特許文献１に示すようなＩＣカードがある。この特許文献１に示すような従来のものでは、ＩＣカード本体に切換スイッチが設けられている。この切換スイッチは、ＩＣカードケースにＩＣカードが収容されている状態のときに、操作可能となっている。
【０００６】
【特許文献１】特開平９−２８６１９０号公報
【発明の開示】
【発明が解決しようとする課題】
【０００７】
図４に示すような従来のものでは、ＩＣカードリーダ２００に機能選択用の第１〜第３機能選択ボタン２０１Ａ〜２０１Ｃが設けられているため、ＩＣカードリーダ２００の意匠性が低下してしまう。これに加えて、ＩＣカードリーダ２００が比較的大型化してしまうという問題がある。
【０００８】
また、特許文献１に示すような従来のものでは、ＩＣカード本体をＩＣカードケースに装着した状態しなければ、ＩＣカード本体の機能選択をすることはできないため、ＩＣカードケースを常に持ち運ぶ必要があり、ＩＣカード本体の携帯性や、機能選択時の利便性が低下していた。
【０００９】
この発明は、上記のような課題を解決するためになされたものであり、外部通信器の機能選択ボタンを不要として外部通信器の意匠性を向上させることができるともに、ＩＣカード本体の携帯性と機能選択時の利便性とを向上させることができる非接触式ＩＣカードを得ることを目的とする。
【課題を解決するための手段】
【００１０】
この発明に係る非接触式ＩＣカードは、複数種の入退室管理機能を有する入退室管理システムに対して、所望の入退室管理機能を選択して利用する際に用いられるものであって、ＩＣカード本体、複数種の入退室管理機能のそれぞれを利用するためのデータを格納する複数のデータ格納部と、外部通信器との間で無線通信するためのアンテナ部とを有し、ＩＣカード本体の内部に設けられた内部回路、及びＩＣカード本体の表面に設けられ、かつ内部回路に電気的に接続され、利用者による操作に応じて、外部通信器と通信するデータを、複数のデータ格納部に格納されたデータから選択可能な機能選択手段を備えるものである。
【発明の効果】
【００１１】
この発明の非接触式ＩＣカードは、ＩＣカード本体の表面に設けられた機能選択手段が利用者に操作されたことに応じて、外部通信器と通信するデータを、複数のデータ格納部に格納されたデータから選択可能となっているので、外部通信器の機能選択ボタンを不要として外部通信器の意匠性を向上させることができる。これとともに、特許文献１のようなＩＣカードケースが不要となるので、ＩＣカード本体の携帯性と機能選択時の利便性とを向上させることができる。
【発明を実施するための最良の形態】
【００１２】
以下、この発明を実施するための最良の形態について、図面を参照して説明する。
実施の形態１．
図１は、この発明の実施の形態１による非接触式ＩＣカードを示す平面図である。図２は、図１の第１〜第３タッチボタン４Ａ〜４Ｃと第１〜第３データブロック７Ａ〜７Ｃとの対応関係を説明するための説明図である。
図１，２において、非接触式ＩＣカード１は、例えば金属板等からなるＩＣカード本体２と、内部回路３とを有している。内部回路３は、ＩＣカード本体２の内部に設けられている。ＩＣカード本体２の表面には、第１タッチボタン４Ａ、第２タッチボタン４Ｂ及び第３タッチボタン４Ｃが機能選択手段として設けられている。
【００１３】
第１タッチボタン４Ａ、第２タッチボタン４Ｂ及び第３タッチボタン４Ｃは、いずれも静電センサである。第１〜第３タッチボタン４Ａ〜４Ｃは、利用者によって操作され、利用者による操作（例えば指の接触）に伴って静電容量が変化する。
【００１４】
内部回路３は、外部通信器と通信するためのアンテナ部５と、タッチボタン検出部６と、第１〜第３データブロック７Ａ〜７Ｃを構成するＩＣとを有している。アンテナ部５は、外部通信器から電力を受ける。この電力によって、内部回路３のＩＣ等が駆動される。
【００１５】
タッチボタン検出部６は、第１〜第３タッチボタン４Ａ〜４Ｃに電気的に接続されている。また、タッチボタン検出部６は、第１〜第３タッチボタン４Ａ〜４Ｃの静電容量の変化を検出する。第１〜第３データブロック７Ａ〜７Ｃは、データ格納部である。また、第１〜第３データブロック７Ａ〜７Ｃは、それぞれ異なるデータを格納している。
【００１６】
タッチボタン検出部６によって第１タッチボタン４Ａに静電容量の変化が検出されたことにより、第１データブロック７Ａに格納されているデータがアンテナ部５から外部通信器へ通信可能となる。タッチボタン検出部６によって第２タッチボタン４Ｂに静電容量の変化が検出されたことにより、第２データブロック７Ｂに格納されたデータがアンテナ部５から外部通信器へ通信可能となる。タッチボタン検出部６によって第３タッチボタン４Ｃに静電容量の変化が検出されたことにより、第３データブロック７Ｃに格納されたデータがアンテナ部５から外部通信器へ通信可能となる。
【００１７】
従って、第１〜第３タッチボタン４Ａ〜４Ｃのうち、利用者によって操作されたタッチボタンに対応する第１〜第３データブロック７Ａ〜７Ｃに格納されたデータが外部通信器との間で通信される。
【００１８】
図３は、図１の非接触式ＩＣカード１を用いた入退室管理システムの概要を示す構成図である。図３において、外部通信器としてのＩＣカードリーダ１１は、例えば、建物における管理区画の境界部の出入口（図示せず）に設けられている。また、ＩＣカードリーダ１１は、無線通信電波Ｘを外部に発しており、非接触式ＩＣカード１と無線通信可能になっている。さらに、ＩＣカードリーダ１１は、入退室管理装置（図示せず）に電気的に接続されている。入退室管理装置は、複数種の入退室管理機能を有している。
【００１９】
なお、入退室管理装置の入退室管理機能の一例としては、警備モード始動機能、警備モード終了機能、及び非常警報鳴動機能等である。また、入退室管理装置の入退室管理機能の他の例としては、電気錠によってそれぞれ施錠された複数のドアのうち、特定のドアを解錠対象として選択する機能等である。
【００２０】
ここで、第１〜第３データブロック７Ａ〜７Ｃが格納しているデータは、入退室管理装置の複数種の入退室管理機能のうち所望の入退室管理機能を利用可能とするためのデータである。また、アンテナ部５が無線通信電波Ｘを受けている状態において、第１〜第３タッチボタン４Ａ〜４Ｃのうち、利用者によって操作されたタッチボタンに対応する第１〜第３データブロック７Ａ〜７Ｃに格納されたデータが、ＩＣカードリーダ１１へ送られる。
【００２１】
具体的に、第１タッチボタン４Ａが操作された場合には、例えば、警備モード始動指令に関連するデータが非接触式ＩＣカード１からＩＣカードリーダ１１へ送られる。また、第２タッチボタン４Ｂが操作された場合には、例えば、警備モード終了指令に関するデータが非接触式ＩＣカード１からＩＣカードリーダ１１へ送られる。さらに、第３タッチボタン４Ｃが操作された場合には、例えば、非常警報鳴動指令に関するデータが非接触式ＩＣカード１からＩＣカードリーダ１１へ送られる。また、第１〜第３タッチボタン４Ａ〜４Ｃのうち、２つ又は全てのタッチボタンが操作された場合には、操作された複数のタッチボタンに対応する全てのデータがＩＣカードリーダ１１へ送られる。
【００２２】
上記のような非接触式ＩＣカードでは、ＩＣカード本体２の表面に設けられた第１〜第３タッチボタンが利用者に操作されたことに応じて（操作されたタッチボタンの種別に応じて）、ＩＣカードリーダ１１と通信するデータを、第１〜第３データブロック７Ａ〜７Ｃに格納されたデータから選択可能となっている。この構成により、図４に示すような従来のＩＣカードリーダ２００の第１〜第３機能選択ボタン２０１Ａ〜２０１Ｃを不要とすることができ、ＩＣカードリーダ１１の意匠性を向上させることができる。これに加えて、特許文献１に示すようなＩＣカードケースを省略することができ、ＩＣカード本体２の携帯性と機能選択時の利便性とを向上させることができる。
【００２３】
また、機能選択手段として静電センサ式の第１〜第３タッチボタン４Ａ〜４Ｃを用いている。この構成により、ＩＣカード本体２の表面の平坦性を確保することができ、利用者による非接触式ＩＣカード１の携帯性をより向上させることができる。
【００２４】
なお、実施の形態１では、タッチボタンの数が第１〜第３タッチボタン４Ａ〜４Ｃの３つであった。しかしながら、この例に限るものではなく、タッチボタンの数は、２つ又は４つ以上であってもよい。また、データブロック（データ格納部）の数も、タッチボタンの数に対応させて、２つ又は４つ以上であってもよい。
【００２５】
また、実施の形態１では、静電センサ式の第１〜第３タッチボタン４Ａ〜４Ｃを機能選択手段として用いた。しかしながら、機能選択手段は、静電センサ式のタッチボタンに限るものではなく、他のスイッチやボタンであってもよい。例えば、複数の接点を有するスライドスイッチや、開閉接点式のプッシュスイッチや、感圧センサからなるタッチボタン等を機能選択手段として用いてもよい。
【００２６】
さらに、実施の形態１では、操作された第１〜第３タッチボタン４Ａ〜４Ｃに対応する第１〜第３データブロック７Ａ〜７Ｃに格納されたデータのみをＩＣカードリーダ１１へ送ったが、例えば、複数のタッチボタンの操作状態に関係なく、入退室管理装置が利用者を識別するための個人識別データ等をＩＣカードリーダ１１へ送ってもよい。
【図面の簡単な説明】
【００２７】
【図１】この発明の実施の形態１による非接触式ＩＣカードを示す平面図である。
【図２】図１の第１〜第３タッチボタンと第１〜第３データブロックとの対応関係を説明するための説明図である。
【図３】図１の非接触式ＩＣカードを用いた入退室管理システムの概要を示す構成図である。
【図４】従来の非接触無線通信を用いた入退室管理システムの概要を示す構成図である。
【符号の説明】
【００２８】
１  非接触式ＩＣカード、２  ＩＣカード本体、３  内部回路、４Ａ〜４Ｃ  第１〜第３タッチボタン（機能選択手段）、５  アンテナ部、７Ａ〜７Ｃ  第１〜第３データブロック（データ格納部）。
【図１】
2010039527.tif 000003
【図２】
2010039527.tif 000004
【図３】
2010039527.tif 000005
【図４】
2010039527.tif 000006